(57)【要約】      （修正有）【課題】歯牙欠損時の歯牙再生術を行なうため、顎骨に複数の人工歯根を埋入する際に、人口歯根床を穿孔する際の安全確実性の向上、および人口歯根の保持安定性の向上により、歯牙再生治癒期間の短縮化を可能とする人工歯根連結保持プレートを提供する。【解決手段】複数の人工歯根を顎骨に埋入する際に、顎骨の骨縁上側に延在させて使用する人工歯根連結保持プレート１に、人工歯根を位置決めして保持可能な複数の人工歯根保持孔３と、顎骨に固定する手段を位置決めして保持可能な複数のプレート固定孔４とを設ける。さらに、人工歯根保持孔３の列に対する両側部のいずれにも、少なくとも１つのプレート保持翼２が一体に備えられ、プレート保持翼２は、顎骨の両側面に沿って曲げ加工が可能である。【選択図】図１
2007215911.tif 000002
【特許請求の範囲】
【請求項１】
複数の人工歯根を顎骨に埋入する際に、前記顎骨の骨縁上側に延在させて使用する人工歯根連結保持プレートであり、前記人工歯根を位置決めして保持可能な複数の人工歯根保持孔を設けたことを特徴とする人工歯根連結保持プレート。
【請求項２】
複数の人工歯根を顎骨に埋入する際に、前記顎骨の骨縁上側に延在させて使用する人工歯根連結保持プレートであり、前記人工歯根を位置決めして保持可能な複数の人工歯根保持孔と、前記顎骨に固定する手段を位置決めして保持可能な複数のプレート固定孔とを設けたことを特徴とする人工歯根連結保持プレート。
【請求項３】
前記人工歯根保持孔の列に対する両側部のいずれにも、少なくとも１つのプレート保持翼が一体に備えられ、該プレート保持翼は、前記顎骨の両側面に沿って曲げ加工が可能であることを特徴とする請求項１または２に記載の人工歯根連結保持プレート。
【請求項４】
材料の成分溶出を防ぐことが可能な表面処理を施されていることを特徴とする請求項１から３のいずれかに記載の人工歯根連結保持プレート。
【請求項５】
前記顎骨と接触する側の表面に、凸凹面加工、あるいは溝加工が施されていることを特徴とする請求項１から４のいずれかに記載の人工歯根連結保持プレート。
【請求項６】
前記顎骨と接触する側の表面に、ハイドロキシアパタイトが被覆されていることを特徴とする請求項１から５のいずれかに記載の人工歯根連結保持プレート。
【発明の詳細な説明】
【技術分野】
【０００１】
本発明は、歯牙のう触、歯周病あるいは歯列矯正等による歯牙欠損、または治療のための抜歯などを行なった際の歯牙再生術として、顎骨に人工歯根の埋入を施す際に使用する人工歯根連結保持プレートに関する。
【背景技術】
【０００２】
従来技術により、複数の人工歯根を埋設した状態を、図７に一部破断斜視図で示す。
【０００３】
従来の歯牙再生術の際は、顎骨（１０）の骨縁上側から穿孔した複数の人工歯根床（１１）に対し、複数の人工歯根（５）の埋入を行ない、人工歯根（５）の上面を封鎖ネジ（１４）で封鎖して、人工歯根（５）と前記顎骨（１０）が結合するまでの期間を待っていた。したがって、顎骨（１０）の骨密度が低い場合は、人工歯根床（１１）を穿孔した後の穴形状を維持できないために、埋入した後の姿勢を人工歯根（５）が維持できず、結果として、埋入位置および深さ等が設計状態と異なることがある。そのため、手術を繰り返したり、長時間の手術が必要になるという問題があった。
【０００４】
また、人工歯根（５）の長さおよび直径に対し、顎骨（１０）の骨高さおよび骨幅が不足した状態においても、埋入した後の姿勢を人工歯根（５）が維持できないという問題があった。以上のように、歯牙再生術には、多大な時間を必要としたり、高度な技術を要するという問題があった。
【０００５】
これらのような問題点を解決するために、例えば、米国特許第５５１３９８９号公報には、人工歯根を固定するための固定プレートが記載されている。
【０００６】
しかし、顎骨へ複数の人工歯根床を穿孔することにより、人工歯根が案内されて、人工歯根の埋入位置が決定されるため、複数の人工歯根床同士の間隔および並び方向は、術者の感覚、技術および経験が大きく影響して、手術の度に異なり、審美的に劣る歯牙再生術が施されることが多いという問題があった。
【０００７】
【特許文献１】米国特許第５５１３９８９号公報
【発明の開示】
【発明が解決しようとする課題】
【０００８】
本発明の目的は、歯牙欠損時の歯牙再生術を行なうため、顎骨に複数の人工歯根を埋入する際に、人口歯根床を穿孔する際の安全性および確実性の向上、および人口歯根の保持安定性の向上により、歯牙再生治癒期間の短縮化を可能とする人工歯根連結保持プレートを提供することである。
【課題を解決するための手段】
【０００９】
本発明の人工歯根連結保持プレートの一態様は、複数の人工歯根を顎骨に埋入する際に、前記顎骨の骨縁上側に延在させて使用する人工歯根連結保持プレートであり、前記人工歯根を位置決めして保持可能な複数の人工歯根保持孔を設ける。
【００１０】
本発明の人工歯根連結保持プレートの異なる態様は、複数の人工歯根を顎骨に埋入する際に、前記顎骨の骨縁上側に延在させて使用する人工歯根連結保持プレートであり、前記人工歯根を位置決めして保持可能な複数の人工歯根保持孔と、前記顎骨に固定する手段を位置決めして保持可能な複数のプレート固定孔とを設ける。
【００１１】
さらに、前記人工歯根保持孔の列に対する両側部のいずれにも、少なくとも１つのプレート保持翼が一体に備えられ、該プレート保持翼は、前記顎骨の両側面に沿って曲げ加工が可能であることが望ましい。
【００１２】
さらに、材料の成分溶出を防ぐことが可能な表面処理を施されていることが望ましい。
【００１３】
さらに、前記顎骨と接触する側の表面に、凸凹面加工、あるいは溝加工が施されていることが望ましい。
【００１４】
さらに、前記顎骨と接触する側の表面に、ハイドロキシアパタイトが被覆されていることが望ましい。
【発明の効果】
【００１５】
本発明の人工歯根連結保持プレートにより、顎骨への正確な人工歯根の埋入が可能となり、術者によらず審美的に優れた歯牙再生術が行え、顎骨へ埋入後において、人工歯根の保持安定性が得られる。さらに、人工歯根と顎骨の早期結合が可能となり、結果として歯牙再生治癒期間が短縮され、患者への肉体的かつ精神的な負担の軽減が得られ、および費用の軽減をも得られる。
【発明を実施するための最良の形態】
【００１６】
本発明について、図面を参照して、説明する。
【００１７】
図１は、本発明の人工歯根連結プレートの一実施例を示す斜視図である。図２は、図１の人工歯根連結プレートのプレート保持翼を曲げた状態を示す斜視図である。
【００１８】
人工歯根連結保持プレート（１）には、人工歯根を固定するための複数の人工歯根固定孔（３）と、顎骨に固定するための複数のプレート固定孔（４）が開けられ、人工歯根保持孔（３）の列に対する両側部のいずれにも、少なくとも１つのプレート保持翼（２）が一体に備えられる。図示した例では、人工歯根固定孔（３）は３つであり、プレート固定孔（４）は４つであり、プレート保持翼（２）は対照的に２つずつであるが、位置および数量は限定されない。さらに、症例の状態に適応させ、自由な箇所で切断して、必要な位置および数量が得られるように構成される。本発明の人工歯根連結保持プレート（１）に使用する材質は、公知技術において使用される任意のものを採用できるが、チタンまたはチタン合金を例示することができる。また、厚さについても任意であるが、０．３ｍｍを例示することができる。
【００１９】
さらに、材料の成分溶出を防ぐことが可能な表面処理を施してもよい。このような表面処理としては、周知技術のいずれかを選択するが、陽極酸化処理を例示することができる。
【００２０】
さらに、顎骨と接触する側の表面に、凸凹面加工、あるいは溝加工が施してもよい。このような加工を施すことにより、人工歯根の保持安定性が得られる。
【００２１】
さらに、前記顎骨と接触する側の表面に、ハイドロキシアパタイトが被覆されることが望ましい。これらのような処理や構造を採用することにより、人工歯根と顎骨の早期結合が可能となり、結果として歯牙再生治癒期間が短縮される。
【００２２】
本発明の人工歯根連結保持プレートは、以下のように使用する。
【００２３】
図３は、図１の人工歯根連結プレートを用いて人工歯根を埋入する状態を示す斜視図である。図４は、図１の人工歯根連結プレートを介して人工歯根を埋入した状態を示す一部破断斜視図である。図５は、図１の人工歯根連結プレートを示す平面図である。
【００２４】
人工歯根連結保持プレート（１）の人工歯根固定孔（３）の位置を目安として、顎骨（１０）に人口歯根床（１１）の穿孔を行ない、人口歯根床（１１）に、それぞれ、人工歯根（５）の埋入を行う。さらに、人工歯根（５）の上面に載せた人工歯根連結保持プレート（１）を人工歯根固定ネジ（７）で挟み込んで、固定する。その際、図４に示したように、顎骨（１０）に対して人工歯根連結保持プレート（１）が術後にずれないように、予め、ある程度、折り曲げられたプレート保持翼（２）を、顎骨（１０）の両側に沿わせる。プレート固定孔（４）に、顎骨に固定する手段（図示せず）を通して、人工歯根連結保持プレート（１）を顎骨（１０）に固定して、手術を終了する。
【００２５】
人工歯根（５）を入れなかった未使用の人工歯根固定孔（３）、およびプレート固定孔（４）の部分は、そのまま残しても、切断して削除することも、可能である。
【００２６】
経過観察後、顎骨（１０）と人工歯根（５）が結合した後は、人工歯根連結保持プレート（１）と人工歯根固定ネジ（７）を取外し、歯牙再生の次工程に移る。
【００２７】
図５に示す人工歯根連結保持プレート（１２）は、配置された人工歯根固定孔（３）およびプレート固定孔（４）の列を湾曲させて、顎骨の湾曲に曲率を合わせている。このような構造とすることにより、審美的に自然な人工歯根の埋入位置とすることが可能となる。
【００２８】
全体の形状については、異なる形状として、図６に示した人工歯根連結保持プレート（１３）のように、全歯列に対応した人工歯根固定孔（３）とプレート固定孔（４）を設ける。このような人工歯根連結保持プレート（１３）は、どの部分の歯牙再生にも対応可能となるとともに、人工歯根連結保持プレート（１３）を任意に切断することにより、部分的な歯牙再生にも対応可能となり、極めて利便性が高い。なお、人工歯根連結保持プレート（１３）においても、プレート保持翼（２）の位置および枚数は、限定されない。
【図面の簡単な説明】
【００２９】
【図１】本発明の人工歯根連結プレートの一実施例を示す斜視図である。
【図２】図１の人工歯根連結プレートの人工歯根連結プレートを曲げた状態を示す斜視図である。
【図３】図１の人工歯根連結プレートを埋入する状態を示す斜視図である。
【図４】図１の人工歯根連結プレートを埋入した状態を示す一部破断斜視図である。
【図５】図１の人工歯根連結プレートを示す平面図である。
【図６】本発明の人工歯根連結プレートの異なる実施例を示す平面図である。
【図７】従来技術により、複数の人工歯根を埋設した状態を示す一部破断斜視図である。
【符号の説明】
【００３０】
１、１２、１３  人工歯根連結保持プレート
２  プレート保持翼
３  人工歯根保持孔
４  プレート固定孔
５  人工歯根
６  上部補綴物取付穴
７  人工歯根固定ネジ
８、１５  ネジ回転付与穴
９  雄ネジ
１０  顎骨
１１  人工歯根床
１４  封鎖ネジ
【図１】
2007215911.tif 000003
【図２】
2007215911.tif 000004
【図３】
2007215911.tif 000005
【図４】
2007215911.tif 000006
【図５】
2007215911.tif 000007
【図６】
2007215911.tif 000008
【図７】
2007215911.tif 000009